(57)【要約】【課題】継続的に防水機能を維持できる防水構造を提供する。【解決手段】パッキン６０を中空状に形成して内部にグリースを充填するとともに、外周部に穴６０ｂを形成する。電池蓋４２を閉じると、その電池蓋４２に設けられたパッキン押圧用凸部５６にパッキン６０が押圧され、内部のグリースが穴６０ｂからパッキン収容溝５０に押し出され、パッキン収容溝５０に補充される。【選択図】  図４
2006313853.tif 000002
【特許請求の範囲】
【請求項１】
蓋で開口部を閉じると、前記蓋の内面に設けられた凸部が、前記開口部の周囲に形成された溝部に嵌入して、該溝部内にグリースを介して配置されたパッキンを押圧し、前記開口部と前記蓋との間を密封する防水構造において、
前記パッキンが、中空状に形成されて、該中空部にグリースが充填されるとともに、外周部に前記中空部に通ずる穴が複数形成され、
前記蓋が閉じられて、前記パッキンが前記蓋に設けられた凸部に押圧されると、前記パッキンの外周部に形成された穴から前記中空部内のグリースが前記パッキンの外周部に押し出されて、前記溝部内に補充されることを特徴とする防水構造。
【請求項２】
蓋で開口部を閉じると、前記蓋の内面に設けられた凸部が、前記開口部の周囲に形成された溝部に嵌入して、該溝部内にグリースを介して配置されたパッキンを押圧し、前記開口部と前記蓋との間を密封する防水構造において、
前記溝部の底面に凹部が形成されるとともに、該凹部にグリースが充填され、
前記蓋が閉じられて、前記パッキンが前記蓋に設けられた凸部に押圧されると、前記パッキンによって前記凹部内のグリースが押し出され、前記溝部内に補充されることを特徴とする防水構造。
【請求項３】
ヒンジによって開閉自在に設けられた蓋で開口部を閉じると、前記蓋の内面に設けられた凸部が、前記開口部の周囲に形成された溝部に嵌入して、該溝部内にグリースを介して配置されたパッキンを押圧し、前記開口部と前記蓋との間を密封する防水構造において、
前記溝部に連通され、グリースが収容されたグリース収容部と、
前記グリース収容部内を往復動して、前記グリース収容部に収容されたグリースを前記溝部に補充するピストン部材と、
前記ヒンジの運動を前記ピストン部材に伝達して、前記ピストン部材を往復動させる駆動伝達部材と、
を備えたことを特徴とする防水構造。
【請求項４】
蓋で開口部を閉じると、前記蓋の内面に設けられた凸部が、前記開口部の周囲に形成された溝部に嵌入して、該溝部内にグリースを介して配置されたパッキンを押圧し、前記開口部と前記蓋との間を密封する防水構造において、
前記溝部に連通され、グリースが充填されたグリース収容部と、
前記グリース収容部内を往復動して、前記グリース収容部に収容されたグリースを前記溝部に補充するピストン部材と、
付勢部材に付勢されて、前記開口部の内側に突出して設けられ、前記開口部内に物品が入れられると、該物品の外周面に押圧されて退避する突起部と、
前記突起部の運動を前記ピストン部材に伝達して、前記ピストン部材を往復動させる駆動伝達部材と、
を備えたことを特徴とする防水構造。
【請求項５】
蓋で開口部を閉じると、前記蓋の内面に設けられた凸部が、前記開口部の周囲に形成された溝部に嵌入して、該溝部内にグリースを介して配置されたパッキンを押圧し、前記開口部と前記蓋との間を密封する防水構造において、
付勢部材に付勢されて、前記開口部の内側に出没自在に設けられ、前記開口部の内側に収容された物品の頂部に係合して、前記開口部の内側に収容された物品をロックするロック部材と、
前記溝部に連通され、グリースが充填されたグリース収容部と、
前記グリース収容部内を往復動して、前記グリース収容部に収容されたグリースを前記溝部に補充するピストン部材と、
前記ロック部材の運動を前記ピストン部材に伝達して、前記ピストン部材を往復動させる駆動伝達部材と、
を備えたことを特徴とする防水構造。
【発明の詳細な説明】
【技術分野】
【０００１】
本発明は防水構造に係り、特に開閉部における防水構造に関する。
【背景技術】
【０００２】
一般にデジタルカメラを防水構造とする場合、電池蓋やメモリカードカバー、端子カバーなどの開閉部に防水処理が施される。このような開閉部に施される防水処理の構造としては、たとえば、開閉部にパッキンを取り付ける方法が知られている（特許文献１〜３）。また、パッキンによる防水性能を向上させるため、パッキンにグリースを塗布して装着する方法も知られている。
【特許文献１】特開２００５−００５７８３号公報
【特許文献２】特開２００４−１５７２４０号公報
【特許文献３】特開２００３−１４２８４１号公報
【発明の開示】
【発明が解決しようとする課題】
【０００３】
しかしながら、パッキンに塗布したグリースは、使用を重ねるうちになくなり、防水性能が低下するという欠点があった。このため、定期的にグリースを塗布する必要があり、メンテナンスが面倒であるという欠点があった。
【０００４】
本発明は、このような事情に鑑みて成されたもので、継続的に防水機能を維持できる防水構造を提供することを目的とする。
【課題を解決するための手段】
【０００５】
請求項１に記載の発明は、前記目的を達成するために、蓋で開口部を閉じると、前記蓋の内面に設けられた凸部が、前記開口部の周囲に形成された溝部に嵌入して、該溝部内にグリースを介して配置されたパッキンを押圧し、前記開口部と前記蓋との間を密封する防水構造において、前記パッキンが、中空状に形成されて、該中空部にグリースが充填されるとともに、外周部に前記中空部に通ずる穴が複数形成され、前記蓋が閉じられて、前記パッキンが前記蓋に設けられた凸部に押圧されると、前記パッキンの外周部に形成された穴から前記中空部内のグリースが前記パッキンの外周部に押し出されて、前記溝部内に補充されることを特徴とする。
【０００６】
請求項１に記載の発明によれば、蓋を閉じると、その蓋に設けられた凸部がパッキンを押圧し、パッキンの外周部に形成された穴から内部のグリースが溝部内に押し出される。これにより、蓋を開閉するたびに溝部内にグリースが補充され、継続的に防水機能が維持される。
【０００７】
請求項２に記載の発明は、前記目的を達成するために、蓋で開口部を閉じると、前記蓋の内面に設けられた凸部が、前記開口部の周囲に形成された溝部に嵌入して、該溝部内にグリースを介して配置されたパッキンを押圧し、前記開口部と前記蓋との間を密封する防水構造において、前記溝部の底面に凹部が形成されるとともに、該凹部にグリースが充填され、前記蓋が閉じられて、前記パッキンが前記蓋に設けられた凸部に押圧されると、前記パッキンによって前記凹部内のグリースが押し出され、前記溝部内に補充されることを特徴とする。
【０００８】
請求項２に記載の発明によれば、蓋を閉じると、その蓋に設けられた凸部がパッキンを押圧して、パッキンを弾性変形させ、凹部内に充填されたグリースを溝部内に押し出す。これにより、蓋を開閉するたびに溝部内にグリースが補充され、継続的に防水機能が維持される。
【０００９】
請求項３に記載の発明は、前記目的を達成するために、ヒンジによって開閉自在に設けられた蓋で開口部を閉じると、前記蓋の内面に設けられた凸部が、前記開口部の周囲に形成された溝部に嵌入して、該溝部内にグリースを介して配置されたパッキンを押圧し、前記開口部と前記蓋との間を密封する防水構造において、前記溝部に連通され、グリースが収容されたグリース収容部と、前記グリース収容部内を往復動して、前記グリース収容部に収容されたグリースを前記溝部に補充するピストン部材と、前記ヒンジの運動を前記ピストン部材に伝達して、前記ピストン部材を往復動させる駆動伝達部材と、を備えたことを特徴とする。
【００１０】
請求項３に記載の発明によれば、蓋を閉じると、その蓋を閉じる際のヒンジの動きに連動して、ピストン部材がグリース収容部内を往復動し、グリース収容部内に収容されたグリースが溝部内に押し出される。これにより、蓋を開閉するたびに溝部内にグリースが補充され、継続的に防水機能が維持される。
【００１１】
請求項４に記載の発明は、前記目的を達成するために、蓋で開口部を閉じると、前記蓋の内面に設けられた凸部が、前記開口部の周囲に形成された溝部に嵌入して、該溝部内にグリースを介して配置されたパッキンを押圧し、前記開口部と前記蓋との間を密封する防水構造において、前記溝部に連通され、グリースが充填されたグリース収容部と、前記グリース収容部内を往復動して、前記グリース収容部に収容されたグリースを前記溝部に補充するピストン部材と、付勢部材に付勢されて、前記開口部の内側に突出して設けられ、前記開口部内に物品が入れられると、該物品の外周面に押圧されて退避する突起部と、前記突起部の運動を前記ピストン部材に伝達して、前記ピストン部材を往復動させる駆動伝達部材と、を備えたことを特徴とする。
【００１２】
請求項４に記載の発明によれば、開口部内に物品を収容すると、その開口部の内側に突出して設けられた突起部が、物品の外周面に押圧されて退避する。そして、この突起部の動きに連動して、ピストン部材がグリース収容部内を往復動し、グリース収容部内に収容されたグリースが溝部内に押し出される。これにより、物品を出し入れするたびに溝部内にグリースが補充され、継続的に防水機能が維持される。
【００１３】
請求項５に記載の発明は、前記目的を達成するために、蓋で開口部を閉じると、前記蓋の内面に設けられた凸部が、前記開口部の周囲に形成された溝部に嵌入して、該溝部内にグリースを介して配置されたパッキンを押圧し、前記開口部と前記蓋との間を密封する防水構造において、付勢部材に付勢されて、前記開口部の内側に出没自在に設けられ、前記開口部の内側に収容された物品の頂部に係合して、前記開口部の内側に収容された物品をロックするロック部材と、前記溝部に連通され、グリースが充填されたグリース収容部と、前記グリース収容部内を往復動して、前記グリース収容部に収容されたグリースを前記溝部に補充するピストン部材と、前記ロック部材の運動を前記ピストン部材に伝達して、前記ピストン部材を往復動させる駆動伝達部材と、を備えたことを特徴とする。
【００１４】
請求項５に記載の発明によれば、開口部内に物品を収容すると、その開口部の内側に出没自在に設けられたロック部材が、収容された物品の頂部に係合してロックする。そして、このロック部の動きに連動して、ピストン部材がグリース収容部内を往復動し、グリース収容部内に収容されたグリースが溝部内に押し出される。これにより、物品を出し入れするたびに溝部内にグリースが補充され、継続的に防水機能が維持される。
【発明の効果】
【００１５】
本発明に係る防水構造によれば、継続的に防水機能を維持することができる。
【発明を実施するための最良の形態】
【００１６】
以下、添付図面に従って本発明に係る防水構造を実施するための最良の形態について詳説する。
【００１７】
なお、本実施の形態では、本発明をデジタルカメラの電池蓋の防水構造に適用した場合を例に説明する。
【００１８】
図１〜図３は、それぞれ本発明が適用されたデジタルカメラの外観構成を示す正面斜視図、背面斜視図、底面斜視図である。
【００１９】
同図に示すように、本実施の形態のデジタルカメラ１０のカメラボディ１２は、薄い矩形の箱状に形成されている。このカメラボディ１２の正面には、図１に示すように、撮影レンズ１４、ストロボ１６、ファインダ窓１８等が設けられており、上面には、シャッタボタン２０、電源スイッチ２２等が設けられている。
【００２０】
撮影レンズ１４は、沈胴式のズームレンズで構成されており、撮影時にカメラボディ１２から繰り出される。
【００２１】
シャッタボタン２０は、いわゆる「半押し」と「全押し」とからなる２段ストローク式のスイッチで構成されており、このシャッタボタン１８の「半押し」によってＡＥ（Automatic Exposure）、ＡＦ（Auto Focus）が行われ、「全押し」によって画像の記録が行われる。
【００２２】
カメラボディ１２の背面には、図２に示すように、モニタ２４、ファインダ接眼部２６、モードスイッチ２８、マクロボタン３０、ズームレバー３２、ストロボボタン３４、フォトモードボタン３６、ＭＥＮＵ／ＯＫボタン３８、ＢＡＣＫボタン４０等が設けられている。
【００２３】
モニタ２４は、カラー表示が可能な液晶モニタで構成されている。このモニタ２４は、撮影済み画像の表示画面として利用されるとともに、各種設定時にユーザインターフェースとして利用される。また、撮影時には、必要に応じてスルー画像が表示され、画角確認用の電子ファインダとして利用される。
【００２４】
モードスイッチ２８は、モードの切り替えを指示するスイッチとして機能し、「再生位置」と「撮影位置」との間をスライド自在に設けられている。デジタルカメラ１０は、このモードスイッチ２８を「再生位置」に合わせることにより、「再生モード」に設定され、「撮影位置」に合わせることにより、「撮影モード」に設定される。そして、「再生モード」に設定することにより、撮影済み画像の再生が可能になり、「撮影モード」に設定することにより、画像の撮影が可能になる。
【００２５】
マクロボタン３０は、撮影時にマクロ機能の切り替えを指示するボタンとして機能するとともに、再生時に画像のコマ戻しを指示するボタンとして機能する。また、メニュー画面等でカーソルの左方向の移動を指示するボタンとして機能する。
【００２６】
ズームレバー３２は、上下方向に揺動自在に設けられており、撮影時にズーミングを指示するレバーとして機能するとともに、再生時に再生画像の拡大縮小を指示するレバーとして機能する。また、メニュー画面等でカーソルの上下方向の移動を指示するボタンとして機能する。
【００２７】
ストロボボタン３４は、撮影時にストロボ機能の切り替えを指示するボタンとして機能するとともに、再生時に画像のコマ送りを指示するボタンとして機能する。また、メニュー画面等でカーソルの右方向の移動を指示するボタンとして機能する。
【００２８】
フォトモードボタン３６は、撮影モード等の設定画面をモニタ２４に呼び出すボタンとして機能し、このフォトモードボタン３６を押してモニタ２４に呼び出される画面で撮影画像の記録画素数の設定や感度の設定、色調や階調の設定、プリント予約の設定等が行われる。
【００２９】
ＭＥＮＵ／ＯＫボタン３８は、メニュー画面の呼び出しを指示するボタンとして機能するとともに（ＭＥＮＵボタンの機能）、選択内容の確定、処理の実行等を指示するボタンとして機能する（ＯＫボタンの機能）。
【００３０】
ＢＡＣＫボタン４０は、入力操作のキャンセル等を指示するボタンとして機能するとともに、モニタ表示の切り替えを指示するボタンとして機能する。
【００３１】
カメラボディ１２の底面には、図３に示すように、電池蓋４２によって開閉される開口部４４が設けられており、その開口部４４の内側には、電池挿入部４６とメモリカードスロット４８とが設けられている。
【００３２】
電池蓋４２は、カメラボディ１２の底面の一部をなすように形成されており、ヒンジ５４を介して開閉自在に設けられている。この電池蓋４２と開口部４４との間には防水処理が施されており、電池蓋４２を閉じた際、開口部４４が密閉されるようになっている。
【００３３】
以下、この電池蓋４２と開口部４４との間に施された防水構造について説明する。
【００３４】
図４は、この防水構造の第１の実施の形態の要部の構成を示す断面図である。同図に示すように、開口部４４の周囲には、開口部４４を囲うようにしてパッキン収容溝５０が形成されている。このパッキン収容溝５０の内側と外側には、それぞれ溝５２ａ、５２ｂが形成されており、各溝５２ａ、５２ｂは、開口部４４を囲うように形成されている。
【００３５】
一方、電池蓋４２の内側面には、電池蓋４２を閉じた際、前記パッキン収容溝５０に嵌入するパッキン押圧用凸部５６と、前記溝５２ａ、５２ｂに嵌入する凸部５８ａ、５８ｂが形成されている。
【００３６】
パッキン収容溝５０の内側には、パッキン６０が取り付けられている。パッキン６０は、電池蓋４２が閉じられると、その電池蓋４２に形成されたパッキン押圧用凸部５６に押圧されて弾性変形し、パッキン収容溝５０とパッキン押圧用凸部５６との間を密閉し、電池蓋４２を密封する。
【００３７】
ここで、このパッキン６０が取り付けられたパッキン収容溝５０には、パッキン６０の防水性能を向上させるため、溝の内側にグリースが塗布されている。
【００３８】
また、パッキン６０は、樹脂等の弾性体によって中空状に形成されており、その中空部６０ａにグリース６２が充填されている。そして、その中空部６０ａに通じる穴６０ｂが外周部に複数形成されている。
【００３９】
以上のように形成された本実施の形態の防水構造では、電池蓋４２を閉じると、電池蓋４２の内側に形成されたパッキン押圧用凸部５６が、パッキン収容溝５０に嵌入され、パッキン収容溝５０に設けられたパッキン６０を押圧する。この結果、パッキン６０が弾性変形し、パッキン収容溝５０とパッキン押圧用凸部５６との間が密閉されて、電池蓋４２が密封される（図４（ｂ）参照）。
【００４０】
また、パッキン６０がパッキン押圧用凸部５６に押圧されて弾性変形することにより、中空部６０ａに充填されたグリース６２が、穴６０ｂを介してパッキン６０の外に押し出される。この結果、パッキン収容溝５０にグリースが補充される。このグリースの補充は、電池蓋５０を開閉するたびに行われる。
【００４１】
このように、本実施の形態の防水構造によれば、電池蓋４２を開閉するたびにグリースの補充が行われるため、グリース切れを起こすことがない。これにより、高い防水機能を継続的に維持することができる。
【００４２】
なお、パッキン６０の材質や断面形状、穴６０ｂの形成位置及び数については、特に限定されるものではなく、パッキン６０の径などに応じて適宜最適な数の穴を最適な位置に形成することが好ましい。
【００４３】
次に、開口部４４と電池蓋４２の防水構造の第２の実施の形態について説明する。
【００４４】
図５は、防水構造の第２の実施の形態の要部の構成を示す断面図である。同図に示すように、開口部４４の周囲にパッキン収容溝５０と溝５２ａ、５２ｂが形成されている点、電池蓋４２にパッキン押圧用凸部５６と凸部５８ａ、５８ｂが形成されている点、パッキン収容溝５０にパッキン６４が取り付けられている点、そのパッキン６４がパッキン押圧用凸部５６に押圧されて電池蓋４２を密封する点については、上記第１の実施の形態の防水構造と同じである。本実施の形態の防水構造では、グリースの補充の方式が上記第１の実施の形態の防水構造と相違している。
【００４５】
図５に示すように、パッキン収容溝５０の底面５０ａには、グリース６２を収容するためのグリース収容溝６６が形成されている。グリース収容溝６６に収容されたグリース６２は、図５（ｂ）に示すように、電池蓋４２が閉じられた際、パッキン６４によってグリース収容溝６６に押し出され、パッキン収容溝５０に補充される。すなわち、電池蓋４２が閉じられると、その電池蓋４２に設けられたパッキン押圧用凸部５６に押されてパッキン６４が弾性変形し、その一部がグリース収容溝６６に入り込む。この結果、グリース収容溝６６に収容されたグリース６２がパッキン収容溝５０に押し出され、パッキン収容溝５０に補充される。
【００４６】
このように本実施の形態の構成によっても、電池蓋４２を開閉するたびにグリースの補充が行われるため、グリース切れを起こすことがない。これにより、高い防水機能を継続的に維持することができる。
【００４７】
なお、パッキン６４は、一般的な構造のものを使用することができ、その材質、断面形状等は、特に限定されないが、弾性変形してグリース収容溝６６に押し込める構造とすることが好ましい。
【００４８】
次に、開口部４４と電池蓋４２の防水構造の第３の実施の形態について説明する。
【００４９】
図６は、防水構造の第３の実施の形態の要部の構成を示す断面図である。同図に示すように、開口部４４の周囲にパッキン収容溝５０と溝５２ａ、５２ｂが形成されている点、電池蓋４２にパッキン押圧用凸部５６と凸部５８ａ、５８ｂが形成されている点、パッキン収容溝５０にパッキン６４が取り付けられている点、そのパッキン６４がパッキン押圧用凸部５６に押圧されて電池蓋４２を密封する点については、上記第１の実施の形態の防水構造と同じである。本実施の形態の防水構造では、グリースの補充の方式が上記第１の実施の形態の防水構造と相違している。
【００５０】
図６に示すように、パッキン収容溝５０の底面には、連通路６８が形成されている。この連通路６８は、グリース収容部７０に連通されている。
【００５１】
グリース収容部７０は、筒状に形成されており、その内部にグリース６２が充填されている。また、このグリース収容部７０には、ピストン７２が設けられており、ピストン７２は、グリース収容部内を前後移動自在に設けられている。
【００５２】
ピストン７２には、ロッド７４が連結されており、ロッド７４の先端には、先端が半球状に形成された突起部７６が固着されている。この突起部７６は、ロッド７４に通されたスプリング７８に付勢されて、電池挿入部４６の内壁面４６ａに形成された穴８０から突出している。
【００５３】
以上のように構成された本実施の形態の防水構造によれば、電池挿入部４６に電池Ｂを挿入すると、その電池Ｂの外周面に押されて、突起部７６が穴８０の内側に退避する。この突起部７６が穴８０の内側に向けて退避すると、その移動がロッド７４を介してピストン７２に伝達され、ピストン７２がグリース収容部内を移動する。この結果、グリース収容部７０に収容されたグリース６２が連通路６８を介してパッキン収容溝５０に押し出され、グリースがパッキン収容溝５０に補充される。
【００５４】
このように本実施の形態の構成によれば、電池Ｂの交換のたびにグリースの補充が行われるため、グリース切れを起こすことがない。これにより、高い防水機能を継続的に維持することができる。
【００５５】
次に、開口部４４と電池蓋４２の防水構造の第４の実施の形態について説明する。
【００５６】
図７は、防水構造の第４の実施の形態の要部の構成を示す断面図である。同図に示すように、開口部４４の周囲にパッキン収容溝５０と溝５２ａ、５２ｂが形成されている点、電池蓋４２にパッキン押圧用凸部５６と凸部５８ａ、５８ｂが形成されている点、パッキン収容溝５０にパッキン６４が取り付けられている点、そのパッキン６４がパッキン押圧用凸部５６に押圧されて電池蓋４２を密封する点については、上記第１の実施の形態の防水構造と同じである。本実施の形態の防水構造では、グリースの補充の方式が上記第１の実施の形態の防水構造と相違している。
【００５７】
図７に示すように、パッキン収容溝５０の底面には、連通路８２が形成されている。この連通路８２は、グリース収容部８４に連通されている。
【００５８】
グリース収容部８４は、筒状に形成されており、その内部にグリース６２が充填されている。また、このグリース収容部８４には、ピストン８６が設けられており、ピストン８６は、グリース収容部内を前後移動自在に設けられている。
【００５９】
ピストン８６には、ロッド８８が連結されており、ロッド８８は、ロックツメ９０に連結されている。このロックツメ９０は、電池挿入部４６に挿入された電池Ｂの先端面に係合して、電池Ｂをロックする部材であり、ロッド８８に通されたスプリング９２に付勢されて、電池挿入部４６の入口部にスライド自在に設けられている。
【００６０】
以上のように構成された本実施の形態の防水構造の作用は次のとおりである。上記のように、電池挿入部４６には、ロックツメ９０が設けられているため、電池Ｂを電池挿入部４６に挿入する場合は、ロックツメ９０をスライドさせ、入口部から退避させる。この際、ロックツメ９０の移動が、ロッド８８を介してピストン８６に伝達され、ピストン８６がグリース収容部内を移動する。この結果、グリース収容部８４に収容されたグリース６２が連通路８２を介してパッキン収容溝５０に押し出され、グリースがパッキン収容溝５０に補充される。
【００６１】
なお、電池Ｂを電池挿入部４６に挿入した後は、ロックツメ９０をスプリング９２の付勢力で元の位置に戻させる。これにより、ロックツメ９０が電池Ｂの先端面に係合し、電池挿入部４６に挿入された状態でロックされる。
【００６２】
このように本実施の形態の構成によれば、電池Ｂの交換のたびにグリースの補充が行われるため、グリース切れを起こすことがない。これにより、高い防水機能を継続的に維持することができる。
【００６３】
次に、開口部４４と電池蓋４２の防水構造の第５の実施の形態について説明する。
【００６４】
図８は、この防水構造の第５の実施の形態の要部の構成を示す断面図である。同図に示すように、開口部４４の周囲には、開口部４４を囲うようにしてパッキン押圧用凸部９４が形成されている。
【００６５】
一方、電池蓋４２の内側面には、電池蓋４２を閉じた際、前記パッキン押圧用凸部９４が嵌入するパッキン収容溝９６が形成されている。このパッキン収容溝９６の内側には、パッキン６４が取り付けられている。パッキン６４は、電池蓋４２が閉じられると、その開口部４４の周囲に形成されたパッキン押圧用凸部９４に押圧されて弾性変形し、パッキン収容溝９６とパッキン押圧用凸部９４との間を密閉して、電池蓋４２を密封する。また、このパッキン６４が取り付けられたパッキン収容溝９６には、パッキン６４の防水性能を向上させるため、溝の内側にグリースが塗布されている。
【００６６】
電池蓋４２に形成されたパッキン収容溝９６の底面には、連通路９８が形成されている。この連通路９８は、グリース収容部１００に連通されている。
【００６７】
グリース収容部１００は、筒状に形成されており、その内部にグリース６２が充填されている。また、このグリース収容部１００には、ピストン１０２が設けられており、ピストン１０２は、グリース収容部内を前後移動自在に設けられている。
【００６８】
ピストン１０２には、ロッド１０４が連結されており、ロッド１０４は、ヒンジ１０６に連結されている。ここで、このヒンジ１０６は、軸１０８を支点にして揺動自在に設けられており、電池蓋４２は、このヒンジ１０６にスライド自在に設けられている。電池蓋４２を開閉する際は、電池蓋４２をヒンジ１０６に対してスライドさせ、図示しないロック部材によるロックを解除する。
【００６９】
以上のように形成された本実施の形態の防水構造の作用は次のとおりである。
【００７０】
上記のように、電池蓋４２を開ける場合は、電池蓋４２をヒンジ１０６に対してスライドさせてロックを解除する。同様に電池蓋４２を閉める場合は、電池蓋４２をヒンジ１０６に対してスライドさせてロックする。
【００７１】
このように、電池蓋４２をヒンジ１０６に対してスライドさせると、ピストン１０２がグリース収容部内を相対的に移動する。この結果、グリース収容部１００に収容されたグリース６２が連通路９８を介してパッキン収容溝９６に押し出され、グリースがパッキン収容溝９６に補充される。
【００７２】
このように本実施の形態の構成によれば、電池蓋４２を開閉するたびにグリースの補充が行われるため、グリース切れを起こすことがない。これにより、高い防水機能を継続的に維持することができる。
【００７３】
以上一連の実施の形態で説明したように、本発明によれば、電池蓋４２の開閉動作又は電池Ｂの入れ替え動作によって、グリースが自動的にパッキン収容溝に補充されるため、グリース切れを起こすことがない。これにより、高い防水機能を継続的に維持することができる。
【００７４】
なお、上記実施の形態では、本発明を電池蓋の防水構造に適用した場合を例に説明したが、本発明の適用は、これに限定されるものではない。このほか、メモリカードや端子などの蓋が備えられている場合には、その蓋の防水構造にも適用することができる。
【００７５】
また、本発明の適用は、デジタルカメラに限定されるものではなく、防水を要する他の機器にも同様に適用することができる。
【図面の簡単な説明】
【００７６】
【図１】本発明が適用されたデジタルカメラの構成を示す正面斜視図
【図２】本発明が適用されたデジタルカメラの構成を示す背面斜視図
【図３】本発明が適用されたデジタルカメラの構成を示す底面斜視図
【図４】防水構造の第１の実施の形態の要部の構成を示す断面図
【図５】防水構造の第２の実施の形態の要部の構成を示す断面図
【図６】防水構造の第３の実施の形態の要部の構成を示す断面図
【図７】防水構造の第４の実施の形態の要部の構成を示す断面図
【図８】防水構造の第５の実施の形態の要部の構成を示す断面図
【符号の説明】
【００７７】
１０…デジタルカメラ、１２…カメラボディ、１４…撮影レンズ、１６…ストロボ、１８…ファインダ窓、２０…シャッタボタン、２２…電源スイッチ、２４…モニタ、２６…ファインダ接眼部、２８…モードスイッチ、３０…マクロボタン、３２…ズームレバー、３４…ストロボボタン、３６…フォトモードボタン、３８…ＭＥＮＵ／ＯＫボタン、４０…ＢＡＣＫボタン、４２…電池蓋、４４…開口部、４６…電池挿入部、４８…メモリカードスロット、５０…パッキン収容溝、５２ａ、５２ｂ…溝、５４…ヒンジ、５６…パッキン押圧用凸部、５８ａ、５８ｂ…凸部、６０…パッキン、６０ａ…中空部、６２…グリース、６４…パッキン、６６…グリース収容溝、６８…連通路、７０…グリース収容部、７２…ピストン、７４…ロッド、７６…突起部、７８…スプリング、８０…穴、８２…連通路、８４…グリース収容部、８６…ピストン、８８…ロッド、９０…ロックツメ、９２…スプリング、９４…パッキン押圧用凸部、９６…パッキン収容溝、９８…連通路、１００…グリース収容部、１０２…ピストン、１０４…ロッド、１０６…ヒンジ、１０８…軸
【図１】
2006313853.tif 000003
【図２】
2006313853.tif 000004
【図３】
2006313853.tif 000005
【図４】
2006313853.tif 000006
【図５】
2006313853.tif 000007
【図６】
2006313853.tif 000008
【図７】
2006313853.tif 000009
【図８】
2006313853.tif 000010